(57)【要約】【課題】幅広いブーツに対応して、特に、ブーツの胴筒部の足首関節付近に付いた皺の修復効果が高いブーツキーパーを得ることである。【解決手段】ブーツキーパー１０を、ブーツの胴筒部Ｂに挿入して上記胴筒部Ｂの形状を保持するブーツキーパー本体１と、胴筒部Ｂの足首関節付近に付いた皺を押し伸ばす皺伸ばし部材２とを有し、上記皺伸ばし部材２と上記ブーツキーパー本体１とを位置調節可能に組み合わすことができるようにした。【選択図】  図１
2005006915.tif 000002
【特許請求の範囲】
【請求項１】
ブーツの胴筒部に挿入して上記胴筒部の形状を保持するブーツキーパー本体と、胴筒部の足首関節付近に付いた皺を押し伸ばす皺伸ばし部材とを有し、上記皺伸ばし部材と上記ブーツキーパー本体とを位置調節可能に組み合わすことができるブーツキーパー。
【請求項２】
上記皺伸ばし部材を、上記ブーツキーパー本体に嵌め合わすリング部材としたことを特徴とする請求項１に記載のブーツキーパー。
【請求項３】
上記皺伸ばし部材を、上記ブーツキーパー本体に巻き付けるベルト部材としたことを特徴とする請求項１に記載のブーツキーパー。
【発明の詳細な説明】
【０００１】
【発明の属する技術分野】
この発明は、ブーツの型崩れを防ぐブーツキーパーに関する。
【０００２】
【従来の技術及びその課題】
薄手の革を素材とするロングブーツなどは、ブーツを脱いだ状態では、ブーツの胴筒部が容易に折れ曲がってしまう。折れたまま長時間放置すると、折れ曲がった所に皺が付いたり、型崩れが起きたりするので、長時間ブーツを履かない場合には、ブーツの胴筒部が折れ曲がらないようにして保管する必要がある。
【０００３】
そこで、従来から、図６のようなブーツキーパーが広く用いられている。このブーツキーパー６０は、布袋６１の内部に中綿６２を封入した円柱状のものである。このブーツキーパー６０をブーツの胴筒部Ｂに挿入すると、ブーツキーパー６０が胴筒部Ｂを内側から支えるので、胴筒部Ｂが折れ曲がるのを防ぐことができる。
【０００４】
ところが、ブーツを履いて歩く際中に、特に胴筒部Ｂの足首関節付近が繰り返し曲げられることによって、胴筒部Ｂの足首関節付近に皺が付いてしまう場合がある。この皺を伸ばさないまま、ブーツを長時間放置すると、皺が癖になってしまったり、革がひび割れたりするので、ブーツが傷み、また、皺に沿って埃が溜まるので、その外観も悪くなる。このため、ブーツを保管する場合には、胴筒部Ｂの足首関節付近に付いた皺を伸ばして保管する必要もある。
【０００５】
しかしながら、皺が付く位置は、ロングブーツやショートブーツ、或いはウェスタンブーツといった各種ブーツの製品毎に異なり、また、同じ製品でも履く人の体形や歩き方の個人差によって、個々のブーツ毎に少しずつ異なる。このため、上記のブーツキーパー６０を利用しても、その形状が固定的なので、ブーツによっては、図６のように、胴筒部Ｂの足首関節付近に付いた皺にブーツキーパー６０がうまく接触せず、皺を内側から押し伸ばすことができないという問題があった。
【０００６】
そこで、この発明の課題は、幅広いブーツに対応して、特に、ブーツの胴筒部の足首関節付近に付いた皺の修復効果が高いブーツキーパーを得ることにある。
【０００７】
【課題を解決するための手段】
上記の課題を解決するため、この発明のブーツキーパーは、ブーツの胴筒部に挿入して上記胴筒部の形状を保持するブーツキーパー本体と、胴筒部の足首関節付近に付いた皺を押し伸ばす皺伸ばし部材とを有し、上記皺伸ばし部材と上記ブーツキーパー本体とを位置調節可能に組み合わすことができるようにしたのである。ここで、ブーツの胴筒部とは、図３、６に符号Ｂで示すように、ブーツの、概ね足首関節より上方になる部分である。
【０００８】
この発明のブーツキーパーは、使用に際し、皺伸ばし部材がブーツの胴筒部の足首関節付近に付いた皺に内側から当たるように、ブーツキーパー本体と皺伸ばし部材との組み合わせ位置を調節して使用するものである。このため、ブーツキーパーをブーツの胴筒部に挿入すると、皺伸ばし部材がブーツの胴筒部の足首関節付近に付いた皺を内側から押し伸ばすので、その皺を効果的に修復することができる。
【０００９】
上記のように、この発明のブーツキーパーは、皺の位置に応じてブーツキーパー本体と皺伸ばし部材との組み合わせ位置を調節することができるので、幅広いブーツに対応して、特に、ブーツの胴筒部の足首関節付近に付いた皺の修復効果が高いものである。
【００１０】
【発明の実施の形態】
この発明の一実施形態を図面に基づき説明する。
図１は、この発明の一実施形態のブーツキーパーの全体を斜視図で示している。図２は、図１のブーツキーパーの分解図を、図３は、図１のブーツキーパーの使用状態を断面表示している。図中において、１０は、ブーツキーパー本体１と皺伸ばし部材２とを有するブーツキーパーである。図１、図３に示すように、このブーツキーパー１０は、ブーツキーパー本体１と皺伸ばし部材２とを位置調節可能に組み合わすことができ、ブーツの胴筒部Ｂに挿入してブーツキーパー本体１が胴筒部Ｂの形状を保持すると共に、皺伸ばし部材２が胴筒部Ｂの足首関節付近に付いた皺を内側から押し伸ばすことができるものである。
【００１１】
ブーツキーパー本体１は、ブーツの胴筒部Ｂに挿入すると、胴筒部Ｂを内側から折れ曲がらないように支え、胴筒部Ｂの形状を保持することができるものである。ブーツキーパー本体１には、例えば、図３に示すように、封入口を有し、胴筒部Ｂより長い布袋１ａと、この布袋１ａに封入される保持材３とから構成される柱状のものを用いることができる。
【００１２】
保持材３には、例えば、図３のように、シート３ａに押し包んだ中綿３ｂ等を用いることができる。製品毎に異なる胴筒部Ｂの長さに応じて使用できるようになるので、布袋１ａには複数の保持材３を封入することが好ましい。例えば、このブーツキーパー１０のように、２つの保持材３を布袋１ａに封入できるようにした場合、布袋１ａに保持材３を２つとも封入すると、ブーツキーパー１０は、ロングブーツに使用でき、袋１ａに保持材３を１つだけ封入すると、ショートブーツに使用できる。
【００１３】
皺伸ばし部材２は、ブーツキーパー本体１と位置調節可能に組み合すことができ、ブーツキーパー１０をブーツの胴筒部Ｂに挿入すると、胴筒部Ｂの足首関節付近に付いた皺を内側から押し伸ばすことができるものである。例えば、ブーツキーパー本体１に嵌め合わすリング部材がある。リング部材には、例えば、中空リング状の布袋を形成し、その内部に中綿を封入したもの等を用いることができる。このように、皺伸ばし部材２をリング部材とすると、ブーツキーパー１０は、図４のように、ショートブーツに使用する際に、余った布袋１ａを折り畳んで皺伸ばし部材２によって挟み込むことができる。
【００１４】
また、幅広いブーツに使用できるブーツキーパー１０となるので、ブーツキーパー本体１及び皺伸ばし部材２には、弾力性に富む部材を用いることが好ましい。例えば、ブーツキーパー１０を、上記中綿を封入した保持材３を用いたブーツキーパー本体１と、上記中綿を封入したリング部材からなる皺伸ばし部材２とから構成すると、ブーツキーパー１０は、ブーツの胴筒部Ｂに挿入する時に、個々のブーツ毎に異なる胴筒部Ｂの絞り具合などに応じて、ブーツキーパー本体１及び皺伸ばし部材２が縮むので、幅広いブーツに使用できる。
【００１５】
図５は、この発明の他の実施形態のブーツキーパーを全体斜視図で示している。図中において、５０は、ブーツキーパー１０のブーツキーパー本体１をテーパ状の柱５１とし、皺伸ばし部材２を上記ブーツキーパー本体５１に巻き付けるベルト部材５２としたブーツキーパーである。ベルト部材５２には、例えば、図５のように、ベルト状の布袋を形成し、その内部に中綿を封入したベルトの両端部同士を面ファスナー５２ａによって結合できるようにしたもの等を用いることができる。このように、皺伸ばし部材２をベルト部材５２とすると、ブーツキーパー５０は、ベルト部材５２をブーツキーパー本体５１に巻いて締め付けることができるので、テーパ状のブーツキーパー本体５１であってもしっかりと組み合わすことができる。
【００１６】
【発明の効果】
上記のように、この発明によれば、ブーツキーパーは、皺の位置に応じてブーツキーパー本体と皺伸ばし部材との組み合わせ位置を調節することができるので、幅広いブーツに対応して、特に、ブーツの胴筒部の足首関節付近に付いた皺の修復効果が高いものとなる。
【図面の簡単な説明】
【図１】この発明の一実施形態のブーツキーパーの全体斜視図である。
【図２】図１のブーツキーパーの分解図である。
【図３】図１のブーツキーパーの使用状態を示した縦断面図である。
【図４】図１のブーツキーパーをショートブーツに使用する場合の形態を示した全体斜視図である。
【図５】この発明の他の実施形態のブーツキーパーの全体斜視図である。
【図６】従来のブーツキーパーの使用状態を示した縦断面図である。
【符号の説明】
１、５１  ブーツキーパー本体
１ａ、６１  布袋
２  皺伸ばし部材
３  保持材
３ａ  シート
３ｂ、６２  中綿
１０、５０、６０  ブーツキーパー
５２  ベルト部材
５２ａ  面ファスナー
Ｂ    胴筒部
【図１】
2005006915.tif 000003
【図２】
2005006915.tif 000004
【図３】
2005006915.tif 000005
【図４】
2005006915.tif 000006
【図５】
2005006915.tif 000007
【図６】
2005006915.tif 000008